(57)【要約】【課題】光変調素子のクロストークに起因した表示品位の劣化を精度良く補正するための補正値テーブル生成方法、補正値テーブル生成装置及び画像処理装置を提供する。【解決手段】光変調素子を用いた表示画像に対応した画像信号を補正するための補正値テーブルを生成する補正値テーブル生成方法は、前記表示画像の複数走査ライン分の特性情報に基づいて、前記表示画像のクロストーク特性曲線を算出するクロストーク特性曲線算出ステップと、前記クロストーク特性曲線算出ステップにおいて算出された前記クロストーク特性曲線から、前記表示画像の所与の走査方向における近似値を算出する近似値算出ステップと、前記近似値算出ステップにおいて算出された前記近似値に基づいて、前記画像信号の補正値を算出する補正値算出ステップとを含む。【選択図】図６
2009253331.tif 000002
【特許請求の範囲】
【請求項１】
光変調素子を用いた表示画像に対応した画像信号を補正するための補正値テーブルを生
成する補正値テーブル生成方法であって、
前記表示画像の複数走査ライン分の特性情報に基づいて、前記表示画像のクロストーク
特性曲線を算出するクロストーク特性曲線算出ステップと、
前記クロストーク特性曲線算出ステップにおいて算出された前記クロストーク特性曲線
から、前記表示画像の所与の走査方向における近似値を算出する近似値算出ステップと、
前記近似値算出ステップにおいて算出された前記近似値に基づいて、前記画像信号の補
正値を算出する補正値算出ステップとを含むことを特徴とする補正値テーブル生成方法。
【請求項２】
請求項１において、
前記クロストーク特性曲線算出ステップは、
各走査ラインの特性情報からクロストーク発生部分を抽出する抽出ステップと、
前記抽出ステップにおいて除去された除去部分を補間して各走査ラインの補間特性情報
を求める補間ステップと、
前記補間ステップにおいて求められた前記複数走査ライン分の補間特性情報を平均化し
て前記クロストーク特性曲線を算出する平均化ステップとを含むことを特徴とする補正値
テーブル生成方法。
【請求項３】
請求項２において、
前記特性情報が、各走査ラインの所与の画素数毎に取得された画像情報を有し、
前記補間ステップは、
前記抽出ステップにおいて抽出された前記クロストーク発生部分のうち最端部の画像情
報を含む複数の画像情報が平均化された補正画像情報を用いて前記補間特性情報を求める
ことを特徴とする補正値テーブル方法。
【請求項４】
請求項１乃至３のいずれかにおいて、
当該画素の階調値をＧ、当該画素の位置に対応する前記特性情報の画像情報をＬ、前記
近似値をＰとした場合、
前記補正値算出ステップにおいて算出される前記補正値は、
（Ｇ−Ｇ×Ｌ／Ｐ）であることを特徴とする補正値テーブル生成方法。
【請求項５】
請求項１乃至４のいずれかにおいて、
前記特性情報が、輝度であることを特徴とする補正値テーブル生成方法。
【請求項６】
請求項１乃至５のいずれかにおいて、
前記光変調素子を用いて表示された中間調画像内の所与の測定画素位置における複数の
画素の画像情報を取得する第１の画像情報取得ステップと、
前記光変調素子を用いて表示された複数の測定用画像を構成する各測定用画像内の前記
測定画素位置における複数の画素の画像情報を繰り返し取得する第２の画像情報取得ステ
ップと、
前記第１の画像情報取得ステップにおいて取得された画像情報と前記第２の画像情報取
得ステップにおいて取得された複数の画像情報とに基づいて前記表示画像のクロストーク
特性情報を算出する特性情報算出ステップとを含み、
前記複数の測定用画像を構成する各測定用画像は、
前記中間調画像を背景画像とし、前記走査方向に所与の間隔を置いて配置され前記中間
調画像の階調と異なる階調を有する第１及び第２のパターンを含み、
前記複数の測定用画像は、
各測定用画像の前記第１及び第２のパターンが、前記走査方向に互いにずれていること
を特徴とする補正値テーブル生成方法。
【請求項７】
請求項６において、
前記走査方向は、
前記表示画像の水平走査方向であることを特徴とする補正値テーブル生成方法。
【請求項８】
請求項６又は７において、
前記第１及び第２のパターンは、
矩形の形状を有するパターンであることを特徴とする補正値テーブル生成方法。
【請求項９】
請求項６乃至８のいずれかにおいて、
前記第１のパターンの前記走査方向の幅をｈとした場合に、
前記間隔が、
ｈ以上３×ｈ未満であることを特徴とする補正値テーブル生成方法。
【請求項１０】
請求項６乃至９のいずれかにおいて、
前記光変調素子の動作モードが、ノーマリホワイトであり、
前記第１及び第２のパターンが、黒のパターンであることを特徴とする補正値テーブル
生成方法。
【請求項１１】
請求項６乃至９のいずれかにおいて、
前記光変調素子の動作モードが、ノーマリブラックであり、
前記第１及び第２のパターンが、白のパターンであることを特徴とする補正値テーブル
生成方法。
【請求項１２】
光変調素子を用いた表示画像に対応した画像信号を補正するための補正値テーブルを生
成する補正値テーブル生成装置であって、
前記表示画像の複数走査ライン分の特性情報に基づいて、前記表示画像のクロストーク
特性曲線を算出するクロストーク特性曲線算出部と、
前記クロストーク特性曲線算出部によって算出された前記クロストーク特性曲線から、
前記表示画像の所与の走査方向における近似値を算出する近似値算出部と、
前記近似値算出部によって算出された前記近似値に基づいて、前記画像信号の補正値を
算出する補正値算出部とを含むことを特徴とする補正値テーブル生成装置。
【請求項１３】
請求項１３において、
前記クロストーク特性曲線算出部は、
各走査ラインの特性情報からクロストーク発生部分を抽出して各走査ラインの補間特性
情報を求め、前記複数走査ライン分の補間特性情報を平均化して前記クロストーク特性曲
線を算出することを特徴とする補正値テーブル生成装置。
【請求項１４】
請求項１２又は１３において、
当該画素の階調値をＧ、当該画素の位置に対応する前記特性情報の画像情報をＬ、前記
近似値をＰとした場合、
前記補正値は、
（Ｇ−Ｇ×Ｌ／Ｐ）であることを特徴とする補正値テーブル生成装置。
【請求項１５】
光変調素子を用いた表示画像に対応した画像信号を補正する画像処理装置であって、
請求項１乃至１１のいずれか記載の補正値テーブル生成方法によって生成された補正値
を格納する補正値テーブルと、
前記補正値テーブルの補正値に基づいて、前記画像信号を補正する画像信号補正部とを
含むことを特徴とする画像処理装置。
【発明の詳細な説明】
【技術分野】
【０００１】
本発明は、補正値テーブル生成方法、補正値テーブル生成装置及び補正値テーブルを含
む画像処理装置に関する。
【背景技術】
【０００２】
現在、液晶テレビ、プロジェクタ、プロジェクションテレビ等のコンシューマ向けの表
示装置に光変調素子としての液晶パネルが搭載されており、液晶パネルにより光源からの
光を変調することで画像を表示することができる。このような液晶パネルを用いた表示装
置は、例えば映画館や博物館等での鑑賞分野、広告分野、ＣＡＤ（Computer Aided Desig
n）用ディスプレイといったビジネス分野においても採用され、上記のコンシューマ向け
の表示装置と比較して、より大型で且つ高精細な画像を表示することが求められることが
多くなっている。
【０００３】
一般的に、液晶パネルを用いた表示画像の画質は、ジャギーの軽減、色むらの軽減、ノ
イズの除去、クロストークの低減等によって改善され、従来から種々の改善技術が知られ
ている。中でも、表示画像の尾引きのようなノイズとして現れるクロストークの補正技術
については、例えば特許文献１に開示されている。
【０００４】
この特許文献１には、水平走査毎に、基準信号と画像信号との差分を積分し、その積分
結果を、対応する画像信号に加算する技術が開示されており、対向電極や容量線等の電位
変動による影響をキャンセルする電圧を画素電極と対向電極の間に印加できるので、いわ
ゆる横クロストークによる表示品位の低下を防止する技術が開示されている。
【０００５】
【特許文献１】特開２００２−１１６７３５号公報
【発明の開示】
【発明が解決しようとする課題】
【０００６】
しかしながら、特許文献１では、クロストークによる表示品位の低下は、黒色領域の位
置等と相関性がないことを前提にクロストーク補正を行っていた。そのため、たとえ特許
文献１に開示された技術を用いた場合であっても、表示品位の低下を防止できないケース
があるという問題があった。
【０００７】
本発明は、以上のような技術的課題に鑑みてなされたものであり、その目的の１つは、
光変調素子のクロストークに起因した表示品位の劣化を精度良く補正するための補正値テ
ーブル生成方法、補正値テーブル生成装置及び画像処理装置を提供することにある。
【課題を解決するための手段】
【０００８】
上記課題を解決するために本発明は、光変調素子を用いた表示画像に対応した画像信号
を補正するための補正値テーブルを生成する補正値テーブル生成方法であって、前記表示
画像の複数走査ライン分の特性情報に基づいて、前記表示画像のクロストーク特性曲線を
算出するクロストーク特性曲線算出ステップと、前記クロストーク特性曲線算出ステップ
において算出された前記クロストーク特性曲線から、前記表示画像の所与の走査方向にお
ける近似値を算出する近似値算出ステップと、前記近似値算出ステップにおいて算出され
た前記近似値に基づいて、前記画像信号の補正値を算出する補正値算出ステップとを含む
補正値テーブル生成方法に関係する。
【０００９】
本発明によれば、表示画像の複数走査ライン分の特性情報に基づいて、該表示画像のク
ロストーク特性曲線を算出し、クロストーク特性曲線の近似値に基づいて画像信号の補正
値を算出するようにしたので、光変調素子を用いた表示画像より、該光変調素子のクロス
トークに起因した表示品位の劣化を精度良く補正することができるようになる。
【００１０】
また本発明に係る補正値テーブル生成方法では、前記クロストーク特性曲線算出ステッ
プは、各走査ラインの特性情報からクロストーク発生部分を抽出する抽出ステップと、前
記抽出ステップにおいて除去された除去部分を補間して各走査ラインの補間特性情報を求
める補間ステップと、前記補間ステップにおいて求められた前記複数走査ライン分の補間
特性情報を平均化して前記クロストーク特性曲線を算出する平均化ステップとを含むこと
ができる。
【００１１】
本発明によれば、特性情報からクロストーク発生部分を抽出した結果、除去された除去
部分を補間した補間特性情報に基づいてクロストーク特性曲線を算出するようにしたので
、クロストーク発生部分を精度良く反映させたクロストーク特性曲線を求めることができ
、クロストークに起因した表示品位の劣化をより一層精度良く補正できるようになる。
【００１２】
また本発明に係る補正値テーブル生成方法では、前記特性情報が、各走査ラインの所与
の画素数毎に取得された画像情報を有し、前記補間ステップは、前記抽出ステップにおい
て抽出された前記クロストーク発生部分のうち最端部の画像情報を含む複数の画像情報が
平均化された補正画像情報を用いて前記補間特性情報を求めることができる。
【００１３】
本発明によれば、最端部の画像情報を用いた場合に画像情報の変化が大きくなりすぎて
しまい補正値の誤差が大きくなる事態を回避することができるようになる。
【００１４】
また本発明に係る補正値テーブル方法では、当該画素の階調値をＧ、当該画素の位置に
対応する前記特性情報の画像情報をＬ、前記近似値をＰとした場合、前記補正値算出ステ
ップにおいて算出される前記補正値は、（Ｇ−Ｇ×Ｌ／Ｐ）であってもよい。
【００１５】
本発明によれば、簡素な処理で補正値を生成することができるようになる。
【００１６】
また本発明に係る補正値テーブル方法では、前記特性情報が、輝度であってもよい。
【００１７】
本発明によれば、簡素な測定手段により、高精度に画像情報を取得できるようになる。
【００１８】
また本発明に係る補正値テーブル方法では、前記光変調素子を用いて表示された中間調
画像内の所与の測定画素位置における複数の画素の画像情報を取得する第１の画像情報取
得ステップと、前記光変調素子を用いて表示された複数の測定用画像を構成する各測定用
画像内の前記測定画素位置における複数の画素の画像情報を繰り返し取得する第２の画像
情報取得ステップと、前記第１の画像情報取得ステップにおいて取得された画像情報と前
記第２の画像情報取得ステップにおいて取得された複数の画像情報とに基づいて前記表示
画像のクロストーク特性情報を算出する特性情報算出ステップとを含み、前記複数の測定
用画像を構成する各測定用画像は、前記中間調画像を背景画像とし、前記走査方向に所与
の間隔を置いて配置され前記中間調画像の階調と異なる階調を有する第１及び第２のパタ
ーンを含み、前記複数の測定用画像は、各測定用画像の前記第１及び第２のパターンが、
前記走査方向に互いにずれていてもよい。
【００１９】
本発明においては、光変調素子を用いて画像を表示する場合に、第１の画像情報取得ス
テップにおいて中間調画像内の測定画素位置における複数の画素の画像情報を取得し、第
２の画像情報取得ステップにおいて測定用画像内の上記の測定画素位置における複数画素
の画像情報を繰り返し取得している。そして、各測定用画像は、中間調画像を背景画像と
し、所与の走査方向に所与の間隔を置いて配置され中間調画像の階調と異なる階調を有す
る第１及び第２のパターンを含み、複数の測定用画像はそれぞれ所与の走査方向に第１及
び第２のパターンがずれている。そのため、光変調素子のクロストークの影響を受けて画
像情報が変化する部分が第１及び第２のパターンの周囲に現れやすく、走査方向に沿って
その変化情報が取得できる。そこで、特性情報算出ステップにおいて、これらの画像情報
に基づいて光変調素子のクロストーク特性情報を算出するようにしたので、従来測定不可
能であった光変調素子のクロストークの影響を高精度に測定できるようになり、且つクロ
ストーク特性情報として定量化できるようになる。この結果、クロストークの影響を高精
度に低減できる補正値の生成に寄与できるようになる。
【００２０】
また本発明に係る補正値テーブル方法では、前記走査方向は、前記表示画像の水平走査
方向であってもよい。
【００２１】
本発明によれば、表示画像の水平走査方向に所与の間隔を置いて第１及び第２のパター
ンが配置された測定用画像を用いて画像情報を取得するようにしたので、画像の垂直走査
方向よりも表示品位の劣化を招く水平走査方向のクロストークの影響を、精度良く反映し
た測定値を生成できるようになる。
【００２２】
また本発明に係る補正値テーブル方法では、前記第１及び第２のパターンは、矩形の形
状を有するパターンであってもよい。
【００２３】
本発明によれば、画像情報の変化が急峻となり、クロストークの影響をより顕著に画像
情報の変化に表すことができるため、クロストークの影響をより一層高精度に反映した測
定値を生成できるようになる。
【００２４】
また本発明に係る補正値テーブル方法では、前記第１のパターンの前記走査方向の幅を
ｈとした場合に、前記間隔が、ｈ以上３×ｈ未満であってもよい。
【００２５】
複数の観者による官能実験において、間隔ｄがｈ以上のときに第１のパターンＰ１、Ｐ
２の間の領域でクロストークによる影響が目立つようになり、間隔ｄが２×ｈ程度のとき
に当該領域でクロストークによる影響が最も顕著に目立ち、間隔ｄが３×ｈになるとクロ
ストークの影響が目立ちにくくなるという結果が得られた。従って、本発明によれば、光
変調素子の製造ばらつきを考慮して、ｈ≦ｄ＜３×ｈの範囲で間隔ｄを探索することで、
クロストークの影響の測定精度を上げて、より一層高精度にクロストークの影響を低減で
きる測定値を生成できるようになる。
【００２６】
また本発明に係る補正値テーブル方法では、前記光変調素子の動作モードが、ノーマリ
ホワイトであり、前記第１及び第２のパターンが、黒のパターンであってもよい。
【００２７】
本発明によれば、光変調素子の動作モードがノーマリホワイトモードのとき、第１及び
第２のパターンが黒のパターンである測定用画像を用いたので、動作モードがノーマリホ
ワイトモードの光変調素子のクロストークの影響を、第１及び第２のパターンが他の階調
のときと比較して、より高精度に反映した補正値を生成できるようになる。
【００２８】
また本発明に係る補正値テーブル方法では、前記光変調素子の動作モードが、ノーマリ
ブラックであり、前記第１及び第２のパターンが、白のパターンであってもよい。
【００２９】
本発明によれば、光変調素子の動作モードがノーマリブラックモードのとき、第１及び
第２のパターンが白のパターンである測定用画像を用いたので、動作モードがノーマリブ
ラックモードの光変調素子のクロストークの影響を、第１及び第２のパターンが他の階調
のときと比較して、より高精度に反映した補正値を生成できるようになる。
【００３０】
また本発明は、光変調素子を用いた表示画像に対応した画像信号を補正するための補正
値テーブルを生成する補正値テーブル生成装置であって、前記表示画像の複数走査ライン
分の特性情報に基づいて、前記表示画像のクロストーク特性曲線を算出するクロストーク
特性曲線算出部と、前記クロストーク特性曲線算出部によって算出された前記クロストー
ク特性曲線から、前記表示画像の所与の走査方向における近似値を算出する近似値算出部
と、前記近似値算出部によって算出された前記近似値に基づいて、前記画像信号の補正値
を算出する補正値算出部とを含む補正値テーブル生成装置に関係する。
【００３１】
本発明によれば、表示画像の複数走査ライン分の特性情報に基づいて、該表示画像のク
ロストーク特性曲線を算出し、クロストーク特性曲線の近似値に基づいて画像信号の補正
値を算出するようにしたので、光変調素子を用いた表示画像より、該光変調素子のクロス
トークに起因した表示品位の劣化を精度良く補正することができるようになる。
【００３２】
また本発明に係る補正値テーブル生成装置では、前記クロストーク特性曲線算出部は、
各走査ラインの特性情報からクロストーク発生部分を抽出して各走査ラインの補間特性情
報を求め、前記複数走査ライン分の補間特性情報を平均化して前記クロストーク特性曲線
を算出することができる。
【００３３】
本発明によれば、特性情報からクロストーク発生部分を抽出した結果、除去された除去
部分を補間した補間特性情報に基づいてクロストーク特性曲線を算出するようにしたので
、クロストーク発生部分を精度良く反映させたクロストーク特性曲線を求めることができ
、クロストークに起因した表示品位の劣化をより一層精度良く補正できるようになる。
【００３４】
また本発明に係る補正値テーブル装置では、当該画素の階調値をＧ、当該画素の位置に
対応する前記特性情報の画像情報をＬ、前記近似値をＰとした場合、前記補正値は、（Ｇ
−Ｇ×Ｌ／Ｐ）であってもよい。
【００３５】
本発明によれば、簡素な処理で補正値を生成することができる補正値テーブル生成装置
を提供できるようになる。
【００３６】
また本発明は、光変調素子を用いた表示画像に対応した画像信号を補正する画像処理装
置であって、上記のいずれか記載の補正値テーブル生成方法によって生成された補正値を
格納する補正値テーブルと、前記補正値テーブルの補正値に基づいて、前記画像信号を補
正する画像信号補正部とを含む画像処理装置に関係する。
【００３７】
本発明によれば、光変調素子のクロストークに起因した表示品位の劣化を精度良く補正
する画像処理装置を提供できるようになる。
【発明を実施するための最良の形態】
【００３８】
以下、本発明の実施の形態について図面を用いて詳細に説明する。なお、以下に説明す
る実施の形態は、特許請求の範囲に記載された本発明の内容を不当に限定するものではな
い。また以下で説明される構成のすべてが本発明の必須構成要件であるとは限らない。
【００３９】
以下の実施形態では、光変調素子のクロストークの影響を低減するために、該光変調素
子を用いた表示画像に対応した画像信号を補正するための補正値が算出され、算出された
補正値が補正値テーブルに格納される。そして、表示画像に対応した画像信号が入力され
たとき、補正値テーブルに格納された補正値に基づいて該画像信号を補正し、補正後の画
像信号により光変調素子を用いた画像を表示することで、表示画像のクロストークの影響
を低減させる。
【００４０】
以下では、このような補正値テーブルを有し、クロストークの影響を低減する画像表示
システムについて説明する。
【００４１】
図１に、本発明に係る実施形態における画像表示システムの構成例のブロック図を示す
。
【００４２】
本実施形態における画像表示システム５００は、プロジェクタ（画像表示装置）ＰＪ、
画像処理装置６００を含む。プロジェクタＰＪは、光変調素子として液晶パネルを搭載し
た画像表示装置として機能し、光源からの光が照射された液晶パネルの透過率を画像信号
に基づいて制御することでスクリーンＳＣＲに画像を表示させることができる。画像処理
装置６００は、補正値テーブルを有し、図示しない画像信号生成装置からの入力画像信号
を、該補正値テーブルに格納された補正値に基づいて補正し、補正後の画像信号をプロジ
ェクタＰＪに供給する。こうすることで、スクリーンＳＣＲに、プロジェクタＰＪの液晶
パネルのクロストークの影響を低減させた画像を表示させることができる。
【００４３】
また画像表示システム５００は、画像処理装置６００が有する補正値テーブルを生成す
る補正値テーブル生成装置７００を含んでもよい。補正値テーブル生成装置７００は、プ
ロジェクタＰＪによるスクリーンＳＣＲへの表示画像の測定結果に基づいて補正値を生成
し、生成した補正値をテーブル化した補正値テーブルを生成する。
【００４４】
なお、図１において、プロジェクタＰＪ、画像処理装置６００及び補正値テーブル生成
装置７００が、別個に設けられているものとして説明したが、プロジェクタＰＪが、画像
処理装置６００及び補正値テーブル生成装置７００の少なくとも１つの機能を有していて
もよいし、画像処理装置６００が補正値テーブル生成装置７００の機能を有していてもよ
い。
【００４５】
図２に、図１のプロジェクタＰＪの構成例の構成図を示す。図２では、本実施形態にお
けるプロジェクタＰＪが、いわゆる３板式の液晶プロジェクタにより構成されるものとし
て説明するが、本発明に係るプロジェクタがいわゆる３板式の液晶プロジェクタにより構
成されるものに限定されるものではない。
【００４６】
プロジェクタＰＪは、光源１１０、インテグレータレンズ１１２、１１４、偏光変換素
子１１６、重畳レンズ１１８、Ｒ用ダイクロイックミラー１２０Ｒ、Ｇ用ダイクロイック
ミラー１２０Ｇ、反射ミラー１２２、Ｒ用フィールドレンズ１２４Ｒ、Ｇ用フィールドレ
ンズ１２４Ｇ、Ｒ用液晶パネル１３０Ｒ（第１の光変調素子）、Ｇ用液晶パネル１３０Ｇ
（第２の光変調素子）、Ｂ用液晶パネル１３０Ｂ（第３の光変調素子）、リレー光学系１
４０、クロスダイクロイックプリズム１６０、投射レンズ１７０を含む。
【００４７】
Ｒ用液晶パネル１３０Ｒ、Ｇ用液晶パネル１３０Ｇ及びＢ用液晶パネル１３０Ｂとして
用いられる液晶パネルは、透過型の液晶表示装置である。リレー光学系１４０は、リレー
レンズ１４２、１４４、１４６、反射ミラー１４８、１５０を含む。
【００４８】
光源１１０は、例えば超高圧水銀ランプにより構成され、少なくともＲ成分の光、Ｇ成
分の光、Ｂ成分の光を含む光を射出する。インテグレータレンズ１１２は、光源１１０か
らの光を複数の部分光に分割するための複数の小レンズを有する。インテグレータレンズ
１１４は、インテグレータレンズ１１２の複数の小レンズに対応する複数の小レンズを有
する。重畳レンズ１１８は、インテグレータレンズ１１２の複数の小レンズから射出され
る部分光を重畳する。
【００４９】
また偏光変換素子１１６は、偏光分離膜とλ／２板とを有し、光源１１０から射出され
た偏光方向がランダムな光を直線偏光、例えばｓ偏光に変換する。この偏光変換素子１１
６からのｓ偏光が、重畳レンズ１１８に照射される。
【００５０】
重畳レンズ１１８を通過した光は、Ｒ用ダイクロイックミラー１２０Ｒに入射される。
Ｒ用ダイクロイックミラー１２０Ｒは、Ｒ成分の光を反射して、Ｇ成分及びＢ成分の光を
透過させる機能を有する。Ｒ用ダイクロイックミラー１２０Ｒを透過した光は、Ｇ用ダイ
クロイックミラー１２０Ｇに照射され、Ｒ用ダイクロイックミラー１２０Ｒにより反射し
た光は反射ミラー１２２により反射されてＲ用フィールドレンズ１２４Ｒに導かれる。
【００５１】
Ｇ用ダイクロイックミラー１２０Ｇは、Ｇ成分の光を反射して、Ｂ成分の光を透過させ
る機能を有する。Ｇ用ダイクロイックミラー１２０Ｇを透過した光は、リレー光学系１４
０に入射され、Ｇ用ダイクロイックミラー１２０Ｇにより反射した光はＧ用フィールドレ
ンズ１２４Ｇに導かれる。
【００５２】
リレー光学系１４０では、Ｇ用ダイクロイックミラー１２０Ｇを透過したＢ成分の光の
光路長と他のＲ成分及びＧ成分の光の光路長との違いをできるだけ小さくするために、リ
レーレンズ１４２、１４４、１４６を用いて光路長の違いを補正する。リレーレンズ１４
２を透過した光は、反射ミラー１４８によりリレーレンズ１４４に導かれる。リレーレン
ズ１４４を透過した光は、反射ミラー１５０によりリレーレンズ１４６に導かれる。リレ
ーレンズ１４６を透過した光は、Ｂ用液晶パネル１３０Ｂに照射される。
【００５３】
Ｒ用フィールドレンズ１２４Ｒに照射された光は、平行光に変換されてＲ用液晶パネル
１３０Ｒに入射される。Ｒ用液晶パネル１３０Ｒは、光変調素子（光変調部）として機能
し、Ｒ用画像信号に基づいて透過率（通過率、変調率）が変化するようになっている。従
って、Ｒ用液晶パネル１３０Ｒに入射された光（第１の色成分の光）は、Ｒ用画像信号に
基づいて変調され、変調後の光がクロスダイクロイックプリズム１６０に入射される。
【００５４】
Ｇ用フィールドレンズ１２４Ｇに照射された光は、平行光に変換されてＧ用液晶パネル
１３０Ｇに入射される。Ｇ用液晶パネル１３０Ｇは、光変調素子（光変調部）として機能
し、Ｇ用画像信号に基づいて透過率（通過率、変調率）が変化するようになっている。従
って、Ｇ用液晶パネル１３０Ｇに入射された光（第２の色成分の光）は、Ｇ用画像信号に
基づいて変調され、変調後の光がクロスダイクロイックプリズム１６０に入射される。
【００５５】
リレーレンズ１４２、１４４、１４６で平行光に変換された光が照射されるＢ用液晶パ
ネル１３０Ｂは、光変調素子（光変調部）として機能し、Ｂ用画像信号に基づいて透過率
（通過率、変調率）が変化するようになっている。従って、Ｂ用液晶パネル１３０Ｂに入
射された光（第３の色成分の光）は、Ｂ用画像信号に基づいて変調され、変調後の光がク
ロスダイクロイックプリズム１６０に入射される。
【００５６】
Ｒ用液晶パネル１３０Ｒ、Ｇ用液晶パネル１３０Ｇ、Ｂ用液晶パネル１３０Ｂは、それ
ぞれ同様の構成を有している。各液晶パネルは、電気光学物質である液晶を一対の透明な
ガラス基板に密閉封入したものであり、例えばポリシリコン薄膜トランジスタをスイッチ
ング素子として、各画素の画像信号に対応して各色光の通過率を変調する。
【００５７】
本実施形態では、１画素を構成する色成分毎に光変調素子としての液晶パネルが設けら
れ、各液晶パネルの透過率が画素に対応した画像信号により制御される。即ち、Ｒ成分の
画素用の画像信号が、Ｒ用液晶パネル１３０Ｒの透過率（通過率、変調率）の制御に用い
られ、Ｇ成分の画素用の画像信号が、Ｇ用液晶パネル１３０Ｇの透過率の制御に用いられ
、Ｂ成分の画素用の画像信号が、Ｂ用液晶パネル１３０Ｂの透過率の制御に用いられる。
本実施形態におけるプロジェクタＰＪでは、各色成分用の画像信号が補正され、補正後の
画像信号が色成分毎に設けられた各液晶パネルに供給されて液晶パネル毎に透過率が制御
される。
【００５８】
クロスダイクロイックプリズム１６０は、Ｒ用液晶パネル１３０Ｒ、Ｇ用液晶パネル１
３０Ｇ及びＢ用液晶パネル１３０Ｂからの入射光を合成した合成光を出射光として出力す
る機能を有する。投射レンズ１７０は、出力画像をスクリーンＳＣＲ上に拡大して結像さ
せるレンズであり、ズーム倍率に応じて画像を拡大又は縮小させる機能を有する。
【００５９】
このように、本実施形態におけるプロジェクタＰＪは、光変調素子としての液晶パネル
により変調された光を用いて画像を表示する。従って、液晶パネルにクロストークが発生
すると、該クロストークの影響がプロジェクタＰＪの表示画像に及ぶ。
【００６０】
図３に、図１の画像処理装置６００の構成例のブロック図を示す。図３において、図１
と同一部分には同一符号を付し、適宜説明を省略する。
【００６１】
画像処理装置６００は、補正値テーブル６１０と、画像信号補正部６２０とを含む。
【００６２】
補正値テーブル６１０には、入力された画像信号又は該画像信号に対応した値をインデ
ックスとするＬＵＴ（Look-up Table)として機能し、補正値テーブル生成装置７００によ
り生成された補正値、又は該補正値をテーブル化するためのデータ（補正値テーブルデー
タ）が格納される。補正値テーブル６１０には、入力画像信号又は入力画像信号に対応し
た画素値に関連付けて、補正値が記憶される。補正値テーブル６１０は、入力画像信号に
対応した画素値のそれぞれに関連付けて補正値が記憶されていてもよいし、入力画像信号
に対応する全画素値のうち離散的にサンプリングされた画素値のそれぞれに関連付けて補
正値が記憶されていてもよい。
【００６３】
画像信号補正部６２０は、補正値テーブル６１０に格納された補正値に基づいて入力画
像信号を補正し、補正後の画像信号をプロジェクタＰＪに出力する。画像信号補正部６２
０は、入力画像信号に対応した補正値を補正値テーブル６１０から読み出し、該補正値を
そのまま用いて入力画像信号を補正してもよいし、入力画像信号に対応した複数の補正値
を補正値テーブル６１０から読み出し、該複数の補正値を入力画像信号に応じて補間した
補間後の補正値を用いて入力画像信号を補正してもよい。
【００６４】
このような画像処理装置６００により画像信号の補正に用いられる補正値テーブル６１
０に格納される補正値は、補正値テーブル生成装置７００によって生成される。
【００６５】
図４に、図１の補正値テーブル生成装置７００の構成例のブロック図を示す。図４にお
いて、図１と同一部分には同一符号を付し、適宜説明を省略する。
【００６６】
補正値テーブル生成装置７００は、特性情報記憶部７１０、クロストーク特性曲線算出
部７２０、近似値算出部７３０、補正値算出部７４０を含む。
【００６７】
特性情報記憶部７１０には、プロジェクタＰＪの表示画像の特性情報が記憶されており
、図示しない測定システムの測定結果に基づいて求められた特性情報が、補正値テーブル
の生成に先立って特性情報記憶部７１０に格納される。このような特性情報記憶部７１０
は、プロジェクタＰＪの表示画像の複数走査ライン分の特性情報を記憶する。特性情報は
、例えば輝度を採用することができるが、輝度以外の情報であってもよい。
【００６８】
クロストーク特性曲線算出部７２０は、特性情報記憶部７１０に記憶されたプロジェク
タＰＪの表示画像の複数走査ライン分の特性情報に基づいて、表示画像のクロストーク特
性曲線を算出する。クロストーク特性曲線は、光変調素子としての液晶パネルのクロスト
ークに起因した、プロジェクタＰＪの表示画像の所与の走査方向の画像情報の変化に関す
る情報である。走査方向としては、表示画像の水平走査方向であってもよいし、該表示画
像の垂直走査方向であってもよく、以下では水平走査方向を例に説明する。
【００６９】
近似値算出部７３０は、クロストーク特性曲線算出部７２０によって算出されたクロス
トーク特性曲線から、プロジェクタＰＪの表示画像の所与の走査方向における近似値を算
出する。ここで、走査方向としては、液晶パネルの水平走査方向であることが望ましく、
液晶パネルの走査方向と表示画像の走査方向とが一致する場合には表示画像の水平走査方
向である。クロストークの影響は、垂直走査方向よりも水平走査方向の方が大きいからで
ある。以下では、液晶パネルの水平走査方向と表示画像の水平走査方向とが一致するもの
とする。
【００７０】
補正値算出部７４０は、近似値算出部７３０によって算出された近似値に基づいて、画
像信号の補正値を算出する。補正値算出部７４０によって算出された補正値が、図３の画
像処理装置６００の補正値テーブル６１０の補正値テーブルデータとして出力される。
【００７１】
次に、本実施形態における補正値テーブル生成装置７００の動作について説明する。補
正値テーブル生成装置７００の機能はハードウェアにより実現されてもよいし、ソフトウ
ェアにより実現されてもよい。以下では、補正値テーブル生成装置７００の機能が、ソフ
トウェア処理により実現されるものとする。
【００７２】
図５に、図４の補正値テーブル生成装置７００のハードウェア構成例のブロック図を示
す。
【００７３】
補正値テーブル生成装置７００は、ＣＰＵ８００、Ｉ／Ｆ回路８１０、読み出し専用メ
モリ（Read Only Memory：ＲＯＭ）８２０、ランダムアクセスメモリ（Random Access Me
mory:ＲＡＭ）８３０、バス８４０を有し、バス８４０を介して、ＣＰＵ８００、Ｉ／Ｆ
回路８１０、ＲＯＭ８２０、ＲＡＭ８３０は電気的に接続されている。
【００７４】
例えばＲＯＭ８２０又はＲＡＭ８３０には、補正値テーブル生成装置７００の機能を実
現するプログラムが記憶される。ＣＰＵ８００は、ＲＯＭ８２０又はＲＡＭ８３０に記憶
されたプログラムを読み出し、該プログラムに対応した処理を実行することで、補正値テ
ーブル生成装置７００の機能をソフトウェア処理で実現できる。なお、ＲＡＭ８３０は、
ＣＰＵ８００による処理の作業エリアとして用いられたり、Ｉ／Ｆ回路８１０やＲＯＭ８
２０のバッファエリアとして用いられたりする。Ｉ／Ｆ回路８１０は、図示しないプロジ
ェクタＰＪの表示画像の測定結果である画像情報の入力インタフェース処理を行う。
【００７５】
図６に、図４の補正値テーブル生成装置７００の処理例のフロー図を示す。例えば図５
のＲＯＭ８２０又はＲＡＭ８３０には、図６に示す処理を実現するためのプログラムが格
納されており、ＣＰＵ８００がＲＯＭ８２０又はＲＡＭ８３０に格納されたプログラムを
読み出して該プログラムに対応した処理を実行することで、図６に示す補正値テーブル生
成方法をソフトウェア処理により実現できる。
図７（Ａ）、図７（Ｂ）、図７（Ｃ）、図７（Ｄ）、図７（Ｅ）、図７（Ｆ）に、図６
のステップＳ１００の説明図を示す。
【００７６】
まず、補正値テーブル生成装置７００は、特性情報として、表示画像の複数の走査ライ
ン分の水平走査方向の輝度むらの情報群（以下、これを輝度むらと呼ぶ）を取得する（ス
テップＳ１００）。取得された輝度むら情報は、特性情報記憶部７１０に格納される。こ
のような輝度むら情報は、後述するクロストーク測定方法による測定結果に基づいて算出
されることが望ましい。
【００７７】
このクロストーク測定方法は、中間調画像と、該中間調画像を背景画像とした第１及び
第２のパターンを有する測定用画像とを用いて、水平走査方向の測定画素位置において中
間調画像を基準とした輝度差を測定することで、輝度むら情報を取得する方法である。図
７（Ａ）は中間調画像を表し、図７（Ｂ）〜図７（Ｆ）は図７（Ａ）の中間調画像を背景
画像として第１及び第２のパターンＰ１、Ｐ２を垂直走査方向の位置を維持しつつ水平走
査方向に互いにずらした画像を表す。第１及び第２のパターンＰ１、Ｐ２は、形状が矩形
の矩形パターンであり、中間調画像の階調と異なる階調であればよい。図７（Ｂ）〜図７
（Ｆ）において、矩形パターンＰ１、Ｐ２の階調は黒であるものとする。
即ち、ステップＳ１００は、第１の画像情報取得ステップとして、光変調素子を用いて
表示された図７（Ａ）の中間調画像内の所与の測定画素位置における複数の画素の画像情
報を取得しておき、第２の画像情報取得ステップとして、図７（Ｂ）〜図７（Ｆ）のそれ
ぞれについて繰り返し各測定用画像内の上記測定画素位置における画像情報を取得する。
そして、第１の画像情報取得ステップにおいて取得された画像情報と第２の画像情報取得
ステップにおいて取得された複数の画像情報とに基づいて算出された表示画像のクロスト
ーク特性情報が輝度むら情報として取得される。ここで、複数の測定用画像を構成する各
測定用画像は、中間調画像を背景画像とし、水平走査方向に所与の間隔を置いて配置され
中間調画像の階調と異なる階調を有する第１及び第２のパターンを含み、複数の測定用画
像は、各測定用画像の第１及び第２のパターンが水平走査方向に互いにずれている。
【００７８】
ステップＳ１００に続いて、補正値テーブル生成装置７００は、クロストーク特性曲線
算出ステップとして、特性情報記憶部７１０に記憶された表示画像の複数走査ライン分の
特性情報に基づいて、表示画像のクロストーク特性曲線を算出する（ステップＳ１０２）
。
【００７９】
次に、補正値テーブル生成装置７００は、近似値算出ステップとして、ステップＳ１０
２において算出されたクロストーク特性曲線から、表示画像の水平走査方向における近似
値を算出する（ステップＳ１０４）。
【００８０】
そして、補正値テーブル生成装置７００は、補正値算出ステップとして、ステップＳ１
０４において算出された近似値に基づいて、画像信号の補正値を算出する（ステップＳ１
０６）。その後、補正値テーブル生成装置７００は、ステップＳ１０６において算出され
た補正値を、補正値テーブル６１０に格納する処理を行って（ステップＳ１０８）、一連
の処理を終了する（エンド）。ここで、ステップＳ１０８の処理は、例えば、算出された
補正値と、該補正値に対応した画像信号（又はその画素値）とを関連付けて補正値テーブ
ル６１０に格納する処理である。
【００８１】
次に、図６のステップＳ１０２〜ステップＳ１０６の具体的の処理内容について説明す
る。
【００８２】
図８に、図６のステップＳ１０２の処理内容のフロー図を示す。例えば図５のＲＯＭ８
２０又はＲＡＭ８３０には、図８に示す処理を実現するためのプログラムが格納されてお
り、ＣＰＵ８００がＲＯＭ８２０又はＲＡＭ８３０に格納されたプログラムを読み出して
該プログラムに対応した処理を実行することで、図８に示す処理をソフトウェア処理によ
り実現できる。
図９（Ａ）、図９（Ｂ）に、図８の処理の説明図を示す。図９（Ａ）、図９（Ｂ）は、
縦軸に中間調画像を基準とした輝度差、横軸に水平方向の画素位置を表したときの輝度差
の変化を輝度むらとして模式的に表したものである。
【００８３】
図１０（Ａ）、図１０（Ｂ）、図１０（Ｃ）に、図８の処理の説明図を示す。図１０（
Ａ）、図１０（Ｃ）は、縦軸に中間調画像を基準とした輝度差、横軸に水平方向の画素位
置を表したときの輝度差の変化を輝度むらとして模式的に表したものである。
【００８４】
クロストーク特性曲線を算出する際に、補正値テーブル生成装置７００は、抽出ステッ
プとして、クロストーク特性曲線算出部７２０において、図９（Ａ）に示すような各走査
ラインの特性情報である輝度むらの測定結果（輝度むら情報）を特性情報記憶部７１０か
ら読み出し、該測定結果から上述の矩形パターンＰ１、Ｐ２のパターン位置の輝度の測定
結果を除去する処理を行う（ステップＳ１５０）。その結果、クロストーク特性曲線算出
部７２０は、図９（Ｂ）に示すように、各走査ラインの特性情報からクロストーク発生部
分が抽出された輝度むら情報を取得する。
【００８５】
図９（Ｂ）に示す輝度むら情報を取得すると、補間ステップとして、クロストーク特性
曲線算出部７２０は、各走査ラインの輝度むら情報毎に、ステップＳ１５０の除去処理に
よる除去部分を直線補間して輝度むら曲線（補間特性情報）を求める（ステップＳ１５２
）。
【００８６】
より具体的には、ステップＳ１５２では、クロストーク特性曲線算出部７２０は、抽出
されたクロストーク発生部分のうち、ステップＳ１５０の除去処理によって生成された最
端部の画像情報を含む複数の画像情報（最端部に隣接する１又は複数の画像情報）が平均
化された補正画像情報を用いて輝度むら曲線を求める。例えば、クロストーク特性曲線算
出部７２０は、ステップＳ１５２において、図１０（Ａ）の最端部Ｑ１、Ｑ１０の間の除
去部分を補間する際に、図１０（Ｂ）に示すように、最端部Ｑ１と最端部Ｑ１に隣接する
クロストーク発生部分の測定点Ｑ２とを用いた両者の平均値Ｑ１´の値を用いて、輝度む
ら曲線を求める。なお、図１０（Ａ）の輝度むらの他の端点についても図１０（Ｂ）と同
様に平均値を求めて、該平均値を用いて輝度むら曲線を求める。
【００８７】
こうすることで、最端部Ｑ１の測定点を用いて輝度むら曲線を用いた場合に輝度変化が
大きくなりすぎてしまい、補正値の誤差が大きくなる事態を回避することができる。
【００８８】
ステップＳ１５２において各走査ライン毎に輝度むら曲線が算出されると、平均化ステ
ップとして、クロストーク特性曲線算出部７２０は、ステップＳ１５０において求められ
た複数走査ライン分の輝度むら曲線を平均化して、図１０（Ｃ）に示すようなクロストー
ク特性曲線を算出し（ステップＳ１５４）、一連の処理を終了する（エンド）。
【００８９】
図６のステップＳ１０２において、上述のようにしてクロストーク特性曲線が算出され
ると、補正値テーブル生成装置７００は、近似値算出部７３０において、該クロストーク
特性曲線上の点をサンプリングして、公知の近似方法（例えば６次の最小２乗法）により
、輝度むらの近似値を求める。
【００９０】
そして、補正値算出部７３０は、当該画素の画像信号に対応した階調値をＧ、ステップ
Ｓ１００で取得された当該画素の位置に対応する測定結果（特性情報の画像情報）をＬ、
ステップＳ１０２で求めた近似値をＰとした場合、式（Ｇ−Ｇ×Ｌ／Ｐ）により求められ
る補正値を算出する。こうして求められた補正値を用いて、画面の水平方向の座標をｘ、
算出された補正値をｙとする２次元の補正値テーブルが生成される。
【００９１】
次に、上述のように算出された補正値を用いた、画像信号の補正処理について説明する
。本実施形態で説明したように算出された補正値を用いて画像信号の補正処理を行う画像
処理装置６００の機能はハードウェアにより実現されてもよいし、ソフトウェアにより実
現されてもよい。以下では、画像処理装置６００の機能が、ソフトウェア処理により実現
されるものとする。
【００９２】
画像処理装置６００は、補正値テーブル生成装置７００と同様に図５に示すような構成
を有しており、メモリから画像信号の補正処理を実現するためのプログラムを読み出した
ＣＰＵにより上記の処理を実現することができるようになっている。
【００９３】
図１１に、図１の画像処理装置６００の処理例のフロー図を示す。例えば図示しない画
像処理装置６００のＲＯＭ又はＲＡＭには、図１１に示す処理を実現するためのプログラ
ムが格納されており、図示しないＣＰＵがＲＯＭ又はＲＡＭに格納されたプログラムを読
み出して該プログラムに対応した処理を実行することで、図１１に示す画像信号の補正処
理をソフトウェア処理により実現できる。
【００９４】
本実施形態では、以下に示す処理に先立って、画像処理装置６００の補正値テーブル６
１０には補正値が格納されているものとする。また、クロストーク補正の精度をより一層
向上させるために基準補正強度を用意しておき、補正対象の画像信号に対応した階調や水
平方向のサイズに応じて補正した補正強度を用いて、画像信号を補正するものとする。基
準補正強度に対し、階調や水平方向のサイズに応じて補正強度を補正する理由は、補正値
テーブル生成装置７００で参照する特性情報が、階調や水平方向のサイズに応じて変化し
、補正値算出部７４０で求める補正値を変更した方がクロストークの影響をより一層低減
できるからである。
【００９５】
まず、画像処理装置６００は、当該画素の画像信号を入力する（ステップＳ２００）。
これ以降の処理は、画素単位で行われるものとする。ステップＳ２００に続いて、１水平
走査ラインの画素数を規定する変数ｉを初期化する（ステップＳ２０２）。ステップＳ２
０２では、変数ｉに「１」が設定されるものとする。以下では、１水平走査ラインの画素
数がＬ（Ｌは自然数）であるものとする。
【００９６】
次に、変数ｉとＬとを比較し（ステップＳ２０４）、変数ｉの値がＬ以下と判別された
とき（ステップＳ２０４：Ｙ）、画像処理装置６００は、当該画素の階調値を変数Ａｉに
設定する（ステップＳ２０６）。
【００９７】
次に、画像処理装置６００は、当該画素の画像信号に対応して補正値テーブル６１０に
記憶された補正値Ｔｉを読み出し、補正強度ＦＮをかけて、当該画素の調整補正値Ｒｉを
算出する（ステップＳ２０８）。
【００９８】
ここで、補正強度ＦＮは、基準補正値ＦＮ０を基準に補正された補正強度である。例え
ば、基準補正値ＦＮ０が算出されたときの輝度差ΔＧ０に対する、当該画素の輝度と特性
情報の測定に使用した中間調画像の輝度との輝度差ΔＧの比（ΔＧ／ΔＧ０）を用いて、
基準補正値ＦＮ０が補正された補正強度ＦＮが求められる。或いは、基準補正値ＦＮ０が
算出されたときの矩形パターンの水平方向のサイズＳ０に対する、当該画素を含む連続す
る画素群の水平方向のサイズＳ１との比（Ｓ１／Ｓ０）を用いて、基準補正値ＦＮ０が補
正された補正強度ＦＮが求められる。
【００９９】
ステップＳ２０８において調整補正値Ｒｉが求められると、画像処理装置６００は、補
正後の画像信号Ｂｉを、（Ａｉ＋Ｒｉ）により求める（ステップＳ２１０）。即ち、調整
補正値Ｒｉを当該画素の階調値に加算することで、補正後の画像信号が求められる。
【０１００】
続いて、変数ｉをインクリメントして（ステップＳ２１２）、ステップＳ２０４に戻る
。
【０１０１】
ステップＳ２０４において、変数ｉの値がＬより大きいとき（ステップＳ２０４）、一
連の処理を終了する（エンド）。
【０１０２】
図１２に、画像処理装置６００の図１１の処理の結果の一例を示す。図１２は、縦軸に
中間調画像を基準とした輝度差、横軸に水平方向の画素位置を表したときの輝度差の変化
を輝度むらとして、図１１の処理前の輝度むらと補正後の輝度むらとを表したものである
。
【０１０３】
複数の観者による官能実験において、補正前の表示画像に現れたクロストークの影響が
補正後の表示画像に現れなくなったことが確認され、図１２の測定結果が示すように、矩
形パターンＰ１、Ｐ２の間の領域の輝度差を０にすることができる。
【０１０４】
このようなクロストーク発生部分では、上述の補正強度を調整することで、例えば０．
３［ｃｄ／ｍ２］未満の輝度差に補正することができる。色差ΔＥ＝０．８〜１．６の値
は、異なる明るさの画像を隣接させたときに人の目で違いが判別できる限界（「新編 色
彩科学ハンドブック」［第２版］  東京大学出版会、１９８８、初版  参照）とされ、輝
度差０．３未満は「色差ΔＥ＜０．８」に相当する。従って、補正結果からもクロストー
クの影響をほぼなくすことができるようになったことが分かる。
【０１０５】
以上説明したように、本実施形態では、画像の垂直走査方向についてはクロストーク特
性がそれほど変化しないため、水平走査方向のクロストーク特性情報を求め、該クロスト
ーク特性情報に基づいて補正値を求めるようにしたので、光変調素子のクロストークに起
因した表示品位の劣化を精度良く補正することができるようになる。しかも、補正値の容
量を削減できるため、低コストで、高精度なクロストーク補正を実現できるようになる。
【０１０６】
なお、上述の実施形態における補正値テーブル生成処理に先立って、図４の特性情報記
憶部７１０に格納され図６のステップＳ１００において取得される輝度むら情報の取得処
理が以下のように行われることが望ましい。
【０１０７】
図１３に、本実施形態における補正値テーブルの生成処理の他の処理方法のフロー図を
示す。
【０１０８】
即ち、まず、後述するクロストーク測定システムにおいて、プロジェクタＰＪの表示画
像により輝度むら情報を測定する（ステップＳ３００）。この輝度むら情報は、クロスト
ーク特性情報として、中間調画像内の測定画素位置における輝度（画像情報）を測定して
おき、この中間調画像を背景画像とする２つの矩形パターンを有する測定用画像の上記測
定画素位置における輝度を、該矩形パターンを水平走査方向にシフトさせながら繰り返し
測定し、その両者の輝度差を用いて算出される。
【０１０９】
より具体的には、輝度むら情報は、光変調素子を用いて表示された中間調画像内の所与
の測定画素位置における複数の画素の画像情報を取得する第１の画像情報取得ステップと
、光変調素子を用いて表示された複数の測定用画像を構成する各測定用画像内の上記測定
画素位置における複数の画素の画像情報を繰り返し取得する第２の画像情報取得ステップ
と、第１の画像情報取得ステップにおいて取得された画像情報と第２の画像情報取得ステ
ップにおいて取得された複数の画像情報とに基づいて表示画像の輝度むら情報（クロスト
ーク特性情報）を算出する特性情報算出ステップとにより生成される。ここで、複数の測
定用画像を構成する各測定用画像は、中間調画像を背景画像とし、走査方向に所与の間隔
を置いて配置され前記中間調画像の階調と異なる階調を有する第１及び第２のパターンを
含み、複数の測定用画像は、各測定用画像の前記第１及び第２のパターンが、前記走査方
向に互いにずれている。
【０１１０】
ステップＳ３００に続いて、補正値テーブル生成装置７００により、上記の実施形態に
おいて説明した補正値テーブルを生成し（ステップＳ３０２）、一連の処理を終了する（
エンド）。なお、ステップＳ３０２の処理内容は、図５と同様であるため説明を省略する
。
【０１１１】
以下では、本実施形態におけるクロストーク特性情報としての輝度むら情報の測定方法
の原理について説明する。本実施形態における輝度むら情報は、次のクロストーク測定シ
ステムにより測定された測定結果に基づいて算出される。
【０１１２】
図１４に、本実施形態におけるクロストーク測定システムの構成例を示す。図１４にお
いて、図１と同一部分には同一符号を付し、適宜説明を省略する。
【０１１３】
本実施形態におけるクロストーク測定システム１０は、光変調素子を用いた表示画像に
より該光変調素子のクロストークによる影響に対応したクロストーク特性を測定する。こ
のようなクロストーク測定システム１０は、プロジェクタＰＪ、画像情報測定部ＩＭ、特
性情報生成装置２００を含むことができる。クロストーク測定システム１０では、光変調
素子として液晶パネルを搭載したプロジェクタＰＪによりスクリーンＳＣＲに画像を投影
し、スクリーンＳＣＲの表示画像により液晶パネルのクロストーク特性を測定する。
【０１１４】
プロジェクタＰＪは、その投射光学系の光軸がスクリーンＳＣＲに対して垂直となるよ
うに配置される。プロジェクタＰＪの光軸は、スクリーンＳＣＲの中心位置を貫くように
配置されることが望ましい。プロジェクタＰＪでは、表示画像に対応した画像信号に基づ
いて、光源からの光が照射される液晶パネルの通過率が変調され、変調後の光がスクリー
ンＳＣＲに投射される。
【０１１５】
画像情報測定部ＩＭは、スクリーンＳＣＲに投影されたプロジェクタＰＪによる表示画
像内の所与の測定画素位置における画像情報を測定する。画像情報としては、輝度、照度
、所定の色成分の画素値等があり、以下では画像情報測定部ＩＭが輝度を測定するものと
する。これにより、画像情報測定部ＩＭを簡素な測定手段により実現でき、高精度に画像
情報を取得できるようになる。
【０１１６】
画像情報測定部ＩＭは、画角がスクリーンＳＣＲの水平方向全体をカバーするように配
置され、画像情報測定部ＩＭの測定中心軸が、スクリーンＳＣＲの中心位置を貫くように
配置されることが望ましい。このような画像情報測定部ＩＭの機能は、例えばＣＣＤ（Ch
arge Coupled Device）イメージセンサにより実現される。本実施形態では、画像情報測
定部ＩＭが、スクリーンＳＣＲの表示画像の全画素の輝度を画素単位で測定するものとす
る。
【０１１７】
特性情報生成装置２００は、画像情報測定部ＩＭにより測定された画像情報を取得し、
この画像情報に基づいて、プロジェクタＰＪが有する光変調素子としての液晶パネルのク
ロストーク特性を算出する。
【０１１８】
なお、図１において、プロジェクタＰＪ、画像情報測定部ＩＭ及び特性情報生成装置２
００が、別個に設けられているものとして説明したが、プロジェクタＰＪが、画像情報測
定部ＩＭ及び特性情報生成装置２００の少なくとも１つの機能を有していてもよいし、画
像情報測定部ＩＭが、特性情報生成装置２００の機能を有していてもよい。
【０１１９】
図１４のプロジェクタＰＪは、図１のプロジェクタＰＪと同一であるため詳細な説明を
省略する。
【０１２０】
図１５に、図１４の特性情報生成装置２００の構成例のブロック図を示す。
【０１２１】
特性情報生成装置２００は、画像情報取得部２１０と、特性情報算出部２２０とを含み
、上記のプロジェクタＰＪの液晶パネルのクロストークの影響が及ぶ表示画像を測定した
画像情報測定部ＩＭの測定結果に基づいて、液晶パネルのクロストーク特性情報を算出す
る。
【０１２２】
画像情報取得部２１０は、プロジェクタＰＪの液晶パネル（光変調素子）を用いて表示
された中間調画像内の所与の測定画素位置における複数の画素の画像情報（輝度）と、プ
ロジェクタＰＪの液晶パネル（光変調素子）を用いて表示された測定用画像内の上記測定
画素位置における複数の画素の画像情報（輝度）とを取得する。
【０１２３】
ここで、測定用画像は、中間調画像を背景画像とし、画像の水平走査方向（所与の走査
方向）に所与の間隔を置いて配置され中間調画像の階調と異なる階調を有する第１及び第
２のパターンを含む。第１及び第２のパターンを画像の水平走査方向に配置する理由は、
画像の水平走査方向と垂直走査方向とに現れる液晶パネルのクロストークの影響のうち、
より表示品位の劣化を招くのは水平走査方向のクロストークの影響であり、垂直走査方向
のクロストークの影響は無視できる程度であるからである。
【０１２４】
また、測定用画像が有する第１及び第２のパターンは、矩形の形状を有することが望ま
しい。こうすることで、輝度の変化が急峻となり、クロストークの影響をより顕著に輝度
の変化に表すことができるようになる。
【０１２５】
また、プロジェクタＰＪの液晶パネルの動作モードがノーマリホワイトモードのとき、
中間調画像は、表示画像が取り得る階調値の最大値と最小値の中間値の階調を有する画像
（グレー画像）であり、測定用画像の第１及び第２のパターンが、黒のパターンであるこ
とが望ましい。こうすることで、第１及び第２のパターンの周囲が階調の変化が急峻とな
る部分となり、クロストークの影響がより見え易くなる。その結果、ノーマリホワイトモ
ードで動作する液晶パネルのクロストークの影響を、より高精度に測定することができる
ようになる。
【０１２６】
或いは、プロジェクタＰＪの液晶パネルの動作モードがノーマリブラックモードのとき
、中間調画像は、表示画像が取り得る階調値の最大値と最小値の中間値に対応する画像（
グレー画像）であり、測定用画像の第１及び第２のパターンが、白のパターンであること
が望ましい。こうすることで、第１及び第２のパターンの周囲が階調の変化が急峻となる
部分となり、クロストークの影響がより見え易くなる。その結果、ノーマリブラックモー
ドで動作する液晶パネルのクロストークの影響を、より高精度に測定することができるよ
うになる。
【０１２７】
特性情報生成装置２００の特性情報算出部２２０は、画像情報取得部２１０により取得
された中間調画像の画像情報と測定用画像の画像情報とに基づいて、プロジェクタＰＪの
液晶パネルのクロストーク特性情報を算出する。このクロストーク特性情報は、中間調画
像を基準とした輝度差の変化情報、色差の変化情報、或いは照度差の変化情報として算出
される。本実施形態では、画像情報取得部２１０において画像情報測定部ＩＭからの輝度
が取得されるので、輝度差の変化情報がクロストーク特性情報として算出される。
【０１２８】
次に、本実施形態における特性情報生成装置２００の動作について説明する。特性情報
生成装置２００の機能はハードウェアにより実現されてもよいし、ソフトウェアにより実
現されてもよい。以下では、特性情報生成装置２００の機能が、ソフトウェア処理により
実現されるものとする。
【０１２９】
特性情報生成装置２００は、補正値テーブル生成装置７００と同様に図５に示すような
構成を有しており、メモリから画像信号の補正処理を実現するためのプログラムを読み出
したＣＰＵにより上記の処理を実現することができるようになっている。
【０１３０】
図１６に、図１４の特性情報生成装置２００の処理例のフロー図を示す。例えば特性情
報生成装置２００が有するＲＯＭ又はＲＡＭには、図１６に示す処理を実現するためのプ
ログラムが格納されており、特性情報生成装置２００が有するＣＰＵがＲＯＭ又はＲＡＭ
に格納されたプログラムを読み出して該プログラムに対応した処理を実行することで、図
１６に示すクロストーク測定処理をソフトウェア処理により実現できる。
【０１３１】
図１７（Ａ）、図１７（Ｂ）に、図１６の処理の説明図を示す。図１７（Ａ）は図１６
の処理における背景画像の説明図を表し、図１７（Ｂ）は図１６の処理における測定用画
像の説明図を表す。
【０１３２】
図１８に、図１６の処理における測定用画像の矩形パターンの説明図を示す。
【０１３３】
図１６に示すように、まず、特性情報生成装置２００は、プロジェクタＰＪに、中間調
画像である背景画像をスクリーンＳＣＲに表示させる（ステップＳ１０）。例えば、特性
情報生成装置２００は、中間調画像として、図１７（Ａ）に示すように階調値がその最大
値と最小値の中間値の階調であるグレー画像の画像信号をプロジェクタＰＪに供給し、プ
ロジェクタＰＪが該画像信号に基づいて液晶パネルの変調率を変化させてスクリーンＳＣ
Ｒに投影する。
【０１３４】
そして、画像情報測定部ＩＭは、ステップＳ１０によりスクリーンＳＣＲに投影された
プロジェクタＰＪの表示画像のうち所与の測定画素位置における複数の画素の輝度を測定
する。ここでは、画像情報測定部ＩＭは、表示画像である中間調画像の全画素の輝度を測
定する。特性情報生成装置２００は、第１の画像情報取得ステップとして、画像情報取得
部２１０において画像情報測定部ＩＭにより測定された画像情報を取得する（ステップＳ
１２）。
【０１３５】
次に、特性情報生成装置２００は、プロジェクタＰＪに、測定用画像をスクリーンＳＣ
Ｒに表示させる（ステップＳ１４）。例えば、特性情報生成装置２００は、測定用画像と
して、図１７（Ｂ）に示すように、ステップＳ１０の中間調画像を背景画像とし、水平走
査方向に距離ｄだけ間隔を置いた２つの黒の矩形パターン（第１及び第２のパターン）を
有する画像の画像信号をプロジェクタＰＪに供給し、プロジェクタＰＪが該画像信号に基
づいて液晶パネルの変調率を変化させてスクリーンＳＣＲに投影する。
【０１３６】
ここで、２つの黒の矩形パターンＰ１、Ｐ２（第１及び第２のパターン）は同じ形状で
あり、図１７（Ｂ）に示すように、各矩形パターンの水平走査方向の長さｈは表示画像の
水平方向の長さＨの１／１０とする。それは、複数の観者による官能実験を繰り返したと
き、同じ形状である方が、よりクロストークの影響を観察でき、また、表示画像のサイズ
にかかわらず、表示画像と矩形パターンのサイズ比を１０：１としたときにクロストーク
の影響を観察し易いという結果が得られたからである。このとき、各矩形パターンの水平
走査方向の幅ｈは、垂直走査方向の高さｖと同じである。
【０１３７】
また、図１８に示すように、２つの黒の矩形パターンＰ１、Ｐ２のエッジ間隔ｄは、矩
形パターンＰ１（又は矩形パターンＰ２）の水平走査方向の幅ｈに対し、ｈ≦ｄ＜３×ｈ
を満足することが望ましい。これは、複数の観者による官能実験において、エッジ間隔ｄ
がｈ以上のときに矩形パターンＰ１、Ｐ２の間の領域でクロストークによる影響が目立つ
ようになり、エッジ間隔ｄが２×ｈ程度のときに当該領域でクロストークによる影響が最
も顕著に目立ち、エッジ間隔ｄが３×ｈになるとクロストークの影響が目立ちにくくなる
という結果に基づくものである。従って、この結果から、液晶パネルの製造ばらつきを考
慮して、ｈ≦ｄ＜３×ｈの範囲でエッジ間隔ｄを探索することで、クロストークの測定精
度を上げることができるようになる。
【０１３８】
上記のような測定用画像を表示させた後、画像情報測定部ＩＭは、ステップＳ１２と同
様に、ステップＳ１４によりスクリーンＳＣＲに投影されたプロジェクタＰＪの表示画像
のうち所与の測定画素位置における複数の画素の輝度を測定する。ここでは、画像情報測
定部ＩＭは、測定用画像の全画素の輝度を測定する。特性情報生成装置２００は、第２の
画像情報取得ステップとして、画像情報取得部２１０において画像情報測定部ＩＭにより
測定された画像情報を取得する（ステップＳ１６）。より具体的には、画像情報取得部２
１０は、中間調画像を背景画像とする２つの矩形パターンを有し液晶パネルを用いて表示
された測定用画像内の上記の測定画素位置における複数の画素の画像情報を取得する。
【０１３９】
ステップＳ１６で取得される画像情報の測定画素位置は、ステップＳ１２で取得される
画像情報の測定画素位置と同じである。そして、測定画素位置は、矩形パターンＰ１、Ｐ
２の画素の位置と、中間調画像の画素の位置とを含む。本実施形態では、測定画素位置は
水平走査方向の全画素位置又は所与の画素数毎にサンプリングされた画素位置とすること
ができる。これにより、画像情報取得部２１０は、ステップＳ１２において中間調画像の
１又は複数の水平走査ライン分の輝度むらの情報群を取り込むことができる。また、画像
情報取得部２１０は、ステップＳ１６において測定用画像の１又は複数の水平走査ライン
分の輝度むらの情報群を取り込むことができる。
【０１４０】
続いて、特性情報生成装置２００は、特性情報算出部２２０において、特性情報算出ス
テップとして、ステップＳ１２（第１の画像情報取得ステップ）において取得された画像
情報とステップＳ１６（第２の画像情報取得ステップ）において取得された画像情報とに
基づいて液晶パネルのクロストーク特性情報を算出し（ステップＳ１８）、一連の処理を
終了する（エンド）。
【０１４１】
特性情報算出部２２０は、ステップＳ１２で取得された中間調画像の１又は複数の水平
走査ライン分の輝度むらを基準に、各画素位置毎に、ステップＳ１６で取得された測定用
画像の１又は複数の水平走査ライン分の輝度差を算出する。ステップＳ１２とステップＳ
１６では、同じ水平走査ラインの輝度を取得しているので、特性情報算出部２２０は、中
間調画像を基準とした、１又は複数の水平走査ライン分の輝度差の変化情報であるクロス
トーク特性情報を算出することができる。
【０１４２】
図１９に、図１６の処理において測定されるクロストークの説明図を示す。図１９では
、縦軸に中間調画像を基準とした輝度差、横軸に水平方向の画素位置を表したときの輝度
差の変化を模式的に表したものである。
【０１４３】
即ち、特性情報算出部２２０は、矩形パターンの水平走査方向に現れる輝度の尾引きの
部分を、測定対象のクロストークとして判断し、この部分をクロストークの影響によるク
ロストーク特性情報として背景画像との輝度差を算出する。従って、特性情報算出部２２
０によって算出されたクロストーク特性情報において、クロストークの影響をこのクロス
トーク部分の輝度差として定量化できる。そのため、このクロストーク部分の輝度差が小
さくなるように画像信号を補正することで、クロストークの影響を低減して表示品位の向
上に寄与できるようになる。
【０１４４】
また、本実施形態によれば、上述のように中間調画像と測定用画像とを用いて輝度むら
を測定するようにしたので、以下に説明するように従来のクロストークの測定方法によっ
て測定不可能であった液晶パネルのクロストークの影響が観察し易くなり、より高精度に
クロストークの影響を測定でき、クロストークの影響をより一層低減可能なクロストーク
補正に寄与できるようになる。
【０１４５】
図２０に、本実施形態におけるクロストークの測定方法により測定された測定用画像の
測定結果の一例を示す。図２０は、表示画像の水平方向及び垂直方向のそれぞれに分割さ
れる画素ブロック毎に平均化された中間調画像との輝度差の変化を表す。なお、図２０で
は、最もクロストークが観察し易いと判断されたエッジ間隔ｄが２×ｈのときの輝度差の
測定結果を示している。
【０１４６】
図２０は、測定用画像全体の中間調画像との輝度差を表しており、測定用画像内の矩形
パターンＰ１、Ｐ２に対応する画素ブロックにおいて中間調画像との輝度差が突出してい
る。そして、矩形パターンＰ１、Ｐ２の周囲の画素ブロックにおいて、特に中間調画像と
の輝度差が大きくなり、輝度むらとして測定される。
【０１４７】
そして、図２０の水平方向（水平走査方向）の輝度むらに着目すると、矩形パターンＰ
１、Ｐ２の間の領域が、中間調画像との輝度差が最も大きく、クロストークによる影響で
あると考えられる。これに対して、図２０の垂直方向（垂直走査方向）の輝度むらに着目
すると、矩形パターンＰ１、Ｐ２と隣接する画素ブロックにおいてわずかな振幅の輝度差
が現れている。従って、本実施形態におけるクロストークの測定方法によれば、表示品位
の劣化は、主として水平走査方向のクロストークに起因していることがわかる。その結果
、水平走査方向の画素に対応した画像信号に対してクロストークの補正を行うだけでも、
表示品位の劣化を大幅に低減できることがわかる。
【０１４８】
そこで、本実施形態におけるクロストークの測定方法により得られた測定結果から、ク
ロストーク特性情報として次のような輝度差の変化情報を算出し、この輝度差の変化情報
に基づいて当該画素に対応した画像信号を補正することで、クロストークの影響を低減で
きるようになる。
【０１４９】
図２１に、本実施形態におけるクロストークの測定方法の測定結果から求められるクロ
ストーク特性情報の一例を示す。図２１は、縦軸に中間調画像との輝度差、横軸に水平方
向の画素位置を表す。
【０１５０】
図２１に示すクロストーク特性情報は、水平走査方向に矩形パターンが存在する走査ラ
インにおける輝度差の変化情報を画素位置、又はサンプリングされた画素位置毎に平均化
した情報である。これにより、矩形パターンＰ１、Ｐ２の間の中間調画像との輝度差ΔＬ
が定量化されるので、水平走査方向のクロストークの影響を定量化できる。
【０１５１】
従って、上述のように垂直走査方向のクロストークを無視することで、１画面内で図２
１に示すような水平走査方向のクロストーク特性を定量化した場合、表示画像に対応した
画像のクロストークの影響を、上記のクロストーク特性情報に基づいて補正して、クロス
トークの影響を低減した画像の表示に寄与できるようになる。
【０１５２】
この場合、例えば図７（Ａ）〜図７（Ｅ）に示すように各測定用画像が画像内の水平走
査方向に互いにシフトした矩形パターンＰ１、Ｐ２を有する複数の測定用画像を用意し、
各測定用画像を用いて繰り返し画像情報を取得してそれぞれの輝度差を求めることで図２
１のクロストーク特性情報を算出する。即ち、第２の画像情報取得ステップを繰り返して
水平走査方向の輝度むらを取得することで、測定用画像を表示させる液晶パネルの水平走
査方向のクロストークの影響を定量的に判断でき、表示画像に対応した画素の画像信号の
補正も精度良く行うことができるようになる。従って、従来のクロストークの測定方法で
は実現できなかった、クロストークに起因した表示品位の劣化を低減できるようになる。
【０１５３】
また、本実施形態におけるクロストークの測定方法によれば、従来の測定方法ではわか
らなかった矩形パターンの表示位置の依存性の存在が測定結果により判明した。
【０１５４】
図２２（Ａ）、図２２（Ｂ）、図２２（Ｃ）に、矩形パターンの表示位置の説明図を示
す。図２２（Ａ）は、画像の左上に矩形パターンＰ１、Ｐ２が位置する第１の測定用画像
の説明図を表す。図２２（Ｂ）は、画像の中心に矩形パターンＰ１、Ｐ２が位置する第２
の測定用画像の説明図を表す。図２２（Ｃ）は、画像の右下に矩形パターンＰ１、Ｐ２が
位置する第３の測定用画像の説明図を表す。
【０１５５】
図２２（Ａ）〜図２２（Ｃ）では、矩形パターンＰ１、Ｐ２の階調値、エッジ間隔、形
状、サイズがすべて同じであり、画像内の位置のみが異なる。図２２（Ａ）〜図２２（Ｃ
）のそれぞれの測定用画像を用いた、本実施形態のクロストークの測定方法の測定結果は
、次のようになる。
【０１５６】
図２３に、図２２（Ａ）〜図２２（Ｃ）の測定用画像を用いた本実施形態のクロストー
クの測定方法の測定結果の一例を示す。図２３は、縦軸に中間調画像との輝度差、横軸に
画像に水平方向の画素位置をとり、図２２（Ａ）〜図２２（Ｃ）のそれぞれの測定用画像
を用いた中間調画像との輝度差の変化を表す。この図２３に示すクロストーク特性情報も
また、図２１と同様に、水平走査方向に矩形パターンが存在する走査ラインにおける輝度
差の変化情報を画素位置、又はサンプリングされた画素位置毎に平均化した情報である。
【０１５７】
図２３において、図２２（Ａ）の測定用画像を用いたときの本実施形態のクロストーク
の測定方法による測定結果Ｃ１、図２２（Ｂ）の測定用画像を用いたときの本実施形態の
クロストークの測定方法による測定結果Ｃ２、図２２（Ｃ）の測定用画像を用いたときの
本実施形態のクロストークの測定方法による測定結果Ｃ３をみると、矩形パターンの表示
位置に依存してクロストークによる影響が異なることがわかる。各測定結果において、矩
形パターンの間の輝度差の変化に着目すれば、振幅の変化や輝度差の傾きが変化しており
、クロストークによる影響は、図２３のＤ１で示すように、水平走査方向に、画像の中心
付近が最も輝度差が大きい山なりの傾向にあることがわかる。
【０１５８】
従来のクロストークの測定方法によれば、クロストークは、矩形パターンの位置と相関
性がないとされていたため、従来の測定方法に基づいてクロストークを補正したとしても
、クロストークによる表示品位の劣化を抑える部分と抑えられない部分とが生じてしまう
。これに対して、本実施形態におけるクロストークの測定方法によれば、クロストークは
矩形パターンの表示位置と相関性があることを意味するので、水平走査方向のクロストー
クの影響をその画素位置に応じて低減することができ、表示品位の劣化を確実に防止でき
るようになる。
【０１５９】
また、測定結果Ｃ３に着目すると、クロストークの影響により中間調画像との輝度差が
負になる部分があり、クロストークに起因する輝度差の変化は単一方向ではなく、他の画
素位置とは逆方向に輝度差が変化する部分があることがわかる。
【０１６０】
従来のクロストークの測定方法によれば、クロストークの影響は単一方向に限られるこ
とになるので、従来の測定方法に基づいてクロストークを補正したとしても、クロストー
クによる表示品位の劣化を抑える部分と抑えられない部分とが生じてしまう。これに対し
て、本実施形態におけるクロストークの測定方法によれば、クロストークの影響は単一方
向に限られないことを意味するので、輝度差が正か負かにかかわらず水平走査方向のクロ
ストークの影響を低減することができ、表示品位の劣化を確実に防止できるようになる。
【０１６１】
更に、本実施形態におけるクロストークの測定方法では、矩形パターンの階調と中間調
画像の階調との関係は、次のような関係があることが望ましい。以下では、液晶パネルの
動作モードがノーマリブラックモードであるものとして説明するが、液晶パネルの動作モ
ードがノーマリホワイトモードについても同様に考えることができる。
【０１６２】
図２４（Ａ）、図２４（Ｂ）、図２４（Ｃ）に、矩形パターンの階調の説明図を示す。
図２４（Ａ）は、矩形パターンＰ１、Ｐ２の階調値が、取り得る全階調値のうちの最小値
（黒）である矩形パターンの説明図を表す。図２４（Ｂ）は、矩形パターンＰ１、Ｐ２の
階調値が、取り得る全階調値のうちの最大値と最小値の中間値付近で中間調画像の階調値
と異なる矩形パターンの説明図を表す。図２４（Ｃ）は、矩形パターンＰ１、Ｐ２の階調
値が、取り得る全階調値のうちの最大値（白）である矩形パターンの説明図を表す。
【０１６３】
図２４（Ａ）〜図２４（Ｃ）では、矩形パターンＰ１、Ｐ２の表示位置、エッジ間隔、
形状、サイズがすべて同じであり、画像内の位置のみが異なる。図２４（Ａ）〜図２４（
Ｃ）のそれぞれの測定用画像を用いた、本実施形態のクロストークの測定方法の測定結果
は、次のようになる。
【０１６４】
図２５に、図２４（Ａ）〜図２４（Ｃ）を含む複数種類の階調の矩形パターンを有する
測定用画像を用いた本実施形態のクロストークの測定方法の測定結果の一例を示す。図２
５は、縦軸に中間調画像との輝度差、横軸に画像に水平方向の画素位置をとり、複数種類
の階調の矩形パターンを有する複数の測定用画像のそれぞれを用いた中間調画像との輝度
差の変化を表す。この図２５に示すクロストーク特性情報もまた、図２１と同様に、水平
走査方向に矩形パターンが存在する走査ラインにおける輝度差の変化情報を画素位置、又
はサンプリングされた画素位置毎に平均化した情報である。
【０１６５】
図２５において、矩形パターンの階調値が小さいほど、矩形パターンＰ１、Ｐ２の間の
領域における中間調画像との輝度差が正の方向に変化する。しかしながら、輝度差の絶対
値に着目すると、矩形パターンの階調値が最小値（黒）のときより階調値が最大値（白）
のときの方が中間調画像との輝度差が大きくなる。即ち、液晶パネルの動作モードがノー
マリブラックモードのとき、矩形パターンＰ１、Ｐ２の階調が白であるほど矩形パターン
Ｐ１、Ｐ２の間の領域における中間調画像との輝度差が大きくなり、クロストークの影響
を観察し易くなる。従って、液晶パネルの動作モードがノーマリブラックモードのとき、
階調が白の矩形パターンＰ１、Ｐ２を用いることで、より高精度にクロストークの影響を
測定できるようになる。
【０１６６】
なお、中間調画像として、階調値の最大値と最小値の中間値の階調を有する画像を採用
することで、クロストークに起因した階調の変化が輝度の変化として現れやすい。これは
、光変調素子としての液晶パネルの公知の階調特性から明らかである。従って、背景画像
に中間値の階調を有する中間調画像を採用し、液晶パネルの動作モードがノーマリブラッ
クモードのとき、階調が白の矩形パターンＰ１、Ｐ２の測定用画像を採用することが望ま
しい。
【０１６７】
同様に考えると、液晶パネルの動作モードがノーマリホワイトモードのとき、矩形パタ
ーンＰ１、Ｐ２の階調が黒であるほど矩形パターンＰ１、Ｐ２の間の領域における中間調
画像との輝度差が大きくなることを意味する。従って、液晶パネルの動作モードがノーマ
リホワイトモードのとき、階調が黒の矩形パターンＰ１、Ｐ２を用いることで、より高精
度にクロストークの影響を測定できるようになると考えられる。
【０１６８】
従って、背景画像に中間値の階調を有する中間調画像を採用し、液晶パネルの動作モー
ドがノーマリホワイトモードのとき、階調が黒の矩形パターンＰ１、Ｐ２の測定用画像を
採用することが望ましい。
【０１６９】
本実施形態では、以上説明したようなクロストーク測定方法を用いることで輝度むら情
報を取得することで、これまで反映できなかったクロストークの影響を高精度に低減させ
る補正値の生成に寄与できるようになる。
【０１７０】
以上、本発明に係る補正値テーブル生成方法、補正値テーブル生成装置及び画像処理装
置を上記の実施形態に基づいて説明したが、本発明は上記の実施形態に限定されるもので
はなく、その要旨を逸脱しない範囲において種々の態様において実施することが可能であ
り、例えば次のような変形も可能である。
【０１７１】
（１）上記の実施形態では、光変調素子として液晶パネルを例に説明したが、これに限
定されるものではない。
【０１７２】
（２）上記の実施形態では、光変調素子としてライトバルブを用いるものとして説明し
たが、本発明はこれに限定されるものではない。
【０１７３】
（３）上記の実施形態では、光変調素子として、いわゆる３板式の透過型の液晶パネル
を用いたライトバルブを例に説明したが、４板式以上の透過型の液晶パネルを用いたライ
トバルブを採用してもよい。
【０１７４】
（４）上記の実施形態では、プロジェクタＰＪの前段において、本実施形態の方法によ
り生成された補正値に基づいて画像信号を補正することでクロストークの影響を低減させ
るものとして説明したが、本発明はこれに限定されるものではない。例えば、プロジェク
タＰＪの後段において、本実施形態の方法により生成された補正値に基づいてクロストー
クの影響を低減させてもよい。この場合、プロジェクタＰＪの液晶パネルのソース線を駆
動する駆動回路（光変調素子制御回路）において、本実施形態の方法により生成された補
正値に基づいて画像信号を補正するようにしてもよい。
【０１７５】
（５）上記の実施形態において、本発明を、補正値テーブル生成方法、補正値テーブル
生成装置及び画像処理装置として説明したが、本発明はこれに限定されるものではない。
例えば、本発明を実現するための補正値テーブル生成方法の処理手順が記述されたプログ
ラムや、該プログラムが記録された記録媒体であってもよい。また、例えば本発明を実現
するためのクロストーク測定方法、クロストーク測定システム、又は該クロストーク測定
方法の処理手順が記述されたプログラムや、該プログラムが記録された記録媒体であって
もよい。
【図面の簡単な説明】
【０１７６】
【図１】本発明に係る実施形態における画像表示システムの構成例のブロック図。
【図２】図１のプロジェクタの構成例の構成図。
【図３】図１の画像処理装置の構成例のブロック図。
【図４】図１の補正値テーブル生成装置の構成例のブロック図。
【図５】図４の補正値テーブル生成装置のハードウェア構成例のブロック図。
【図６】図４の補正値テーブル生成装置の処理例のフロー図。
【図７】図７（Ａ）、図７（Ｂ）、図７（Ｃ）、図７（Ｄ）、図７（Ｅ）、図７（Ｆ）は図６のステップＳ１００の説明図。
【図８】図６のステップＳ１０２の処理内容のフロー図。
【図９】図９（Ａ）、図９（Ｂ）は図８の処理の説明図。
【図１０】図１０（Ａ）、図１０（Ｂ）、図１０（Ｃ）は図８の処理の説明図。
【図１１】図１の画像処理装置の処理例のフロー図。
【図１２】画像処理装置の図１１の処理の結果の一例を示す図。
【図１３】本実施形態における補正値テーブルの生成処理の他の処理方法のフロー図。
【図１４】本発明に係る実施形態におけるクロストーク測定システムの構成例を示す図。
【図１５】図１４の特性情報生成装置の構成例のブロック図。
【図１６】図１４の特性情報生成装置の処理例のフロー図。
【図１７】図１７（Ａ）、図１７（Ｂ）は図１６の処理の説明図。
【図１８】図１６の処理における測定用画像の矩形パターンの説明図
【図１９】図１６の処理において測定されるクロストークの説明図。
【図２０】本実施形態におけるクロストークの測定方法により測定された測定用画像の測定結果の一例を示す図。
【図２１】本実施形態におけるクロストークの測定方法の測定結果から求められるクロストーク特性情報の一例を示す図。
【図２２】図２２（Ａ）、図２２（Ｂ）、図２２（Ｃ）は矩形パターンの表示位置の説明図。
【図２３】図２２（Ａ）〜図２２（Ｃ）の測定用画像を用いた本実施形態のクロストークの測定方法の測定結果の一例を示す図。
【図２４】図２４（Ａ）、図２４（Ｂ）、図２４（Ｃ）は矩形パターンの階調の説明図。
【図２５】含む複数種類の階調の矩形パターンを有する測定用画像を用いた本実施形態のクロストークの測定方法の測定結果の一例を示す図。
【符号の説明】
【０１７７】
１０…クロストーク測定システム、  １１０…光源、
１１２，１１４…インテグレータレンズ、  １１６…偏光変換素子、
１１８…重畳レンズ、  １２０Ｒ…Ｒ用ダイクロイックミラー、
１２０Ｇ…Ｇ用ダイクロイックミラー、  １２２，１４８，１５０…反射ミラー、
１２４Ｒ…Ｒ用フィールドレンズ、 １２４Ｇ…Ｇ用フィールドレンズ、
１３０Ｒ…Ｒ用液晶パネル、 １３０Ｇ…Ｇ用液晶パネル、
１３０Ｂ…Ｂ用液晶パネル、  １４０…リレー光学系、
１４２，１４４，１４６…リレーレンズ、  １６０…クロスダイクロイックプリズム、
１７０…投射レンズ、  ２００…特性情報生成装置、  ２１０…画像情報取得部、
２２０…特性情報算出部、  ５００…画像表示システム、  ６００…画像処理装置、
６１０…補正値テーブル、  ６２０…画像信号補正部、
７００…補正値テーブル生成装置、  ７１０…特性情報記憶部、
７２０…クロストーク特性曲線算出部、  ７３０…近似値算出部、
７４０…補正値算出部、  ８００…ＣＰＵ、  ８１０…Ｉ／Ｆ回路、  ８２０…ＲＯＭ、
８３０…ＲＡＭ、  ８４０…バス、  ＩＭ…画像情報測定部、  ＰＪ…プロジェクタ、
ＳＣＲ…スクリーン
【図１】
2009253331.tif 000003
【図２】
2009253331.tif 000004
【図３】
2009253331.tif 000005
【図４】
2009253331.tif 000006
【図５】
2009253331.tif 000007
【図６】
2009253331.tif 000008
【図７】
2009253331.tif 000009
【図８】
2009253331.tif 000010
【図９】
2009253331.tif 000011
【図１０】
2009253331.tif 000012
【図１１】
2009253331.tif 000013
【図１２】
2009253331.tif 000014
【図１３】
2009253331.tif 000015
【図１４】
2009253331.tif 000016
【図１５】
2009253331.tif 000017
【図１６】
2009253331.tif 000018
【図１７】
2009253331.tif 000019
【図１８】
2009253331.tif 000020
【図２１】
2009253331.tif 000021
【図２２】
2009253331.tif 000022
【図２３】
2009253331.tif 000023
【図２４】
2009253331.tif 000024
【図２５】
2009253331.tif 000025
【図１９】
2009253331.tif 000026
【図２０】
2009253331.tif 000027